(57)【特許請求の範囲】
【請求項１】
一方向に張力が付与された状態で架張保持されたシャドウマスクと、
前記シャドウマスクに対して遊動可能に取り付けられた制振子と
を備えたカラー陰極線管であって、
前記制振子は、前記シャドウマスクに設けた一対の貫通孔に遊貫させることにより取り付けられており、
前記一対の貫通孔の水平方向位置及び上下方向位置はいずれも相互に異なっていることを特徴とするカラー陰極線管。
【請求項２】
前記貫通孔は、前記シャドウマスクに設けられた電子ビーム通過孔の形成領域よりも、水平方向における外側の領域に設けられている請求項１に記載のカラー陰極線管。
【請求項３】
前記一対の貫通孔のうち、上側の貫通孔は、下側の貫通孔よりも前記電子ビーム通過孔の形成領域から遠い位置に形成されている請求項２に記載のカラー陰極線管。
【請求項４】
安定状態において重力により前記制振子が前記電子ビーム通過孔の形成領域から遠い側に傾斜するように、前記一対の貫通孔の各水平方向位置が設定されている請求項２に記載のカラー陰極線管。
【発明の詳細な説明】
【０００１】
【発明の属する技術分野】
本発明は、カラー陰極線管に関する。特に、一方向に張力が付与されて架張されたシャドウマスクを含むカラー陰極線管に関する。
【０００２】
【従来の技術】
カラー陰極線管では、電子銃から射出された電子ビームが、フェイスパネル内面に形成された蛍光体スクリーンを照射して、所望する画像が表示される。蛍光体スクリーンの電子銃側には所定の距離を隔てて、色選別電極として機能するシャドウマスクが設けられる。シャドウマスクは金属板からなり、電子ビームが所定位置の蛍光体を射突するように、多数の略矩形状（スロット状）の電子ビーム通過孔が配列形成されている。かかるシャドウマスクは、フレームに架張されて保持される。
【０００３】
シャドウマスクの電子ビーム通過孔と蛍光体スクリーン上の各蛍光体との相対的位置がずれると、電子ビームが所望する蛍光体とは異なる蛍光体を照射して（このような現象を「ミスランディング」という）、色ずれと呼ばれる画質劣化が生じる。
【０００４】
ミスランディングの発生原因の一つとして、シャドウマスクが電子ビームによって加熱されて熱膨張を起こす、いわゆるドーミングが挙げられる。これを防止するために、熱膨張を吸収できるように、シャドウマスクは一方向の張力を付与されてフレームに架張される。
【０００５】
しかしながら、シャドウマスクを張力を付与して架張すると、スピーカーからの振動など、外部から振動や衝撃がシャドウマスクに伝達されたときにシャドウマスクが振動しやすく、またその振動が減衰しにくくなり、表示画面が揺れたりぼやけたりする。
【０００６】
シャドウマスクの振動を減衰させる一方法が特開２０００−７７００７号公報に開示されている。その方法を図７を用いて説明する。
【０００７】
図７はシャドウマスク１２０とこれを架張するフレーム１３０とからなるマスク構体の概略斜視図である。
【０００８】
フレーム１３０は、２対の棒状部材を矩形枠状に接合して構成される。シャドウマスク１２０は、略矩形状の平板材からなり、電子ビーム通過用の電子ビーム通過孔１２２がＸ軸方向及びＹ軸方向に多数規則正しく配列形成されている。シャドウマスク１２０は、短辺方向の張力Ｔが付与された状態で、フレーム１３０の長辺をなす支持部材１３１ａ，１３１ｂの一方の端辺に溶接されて保持されている。
【０００９】
シャドウマスク１２０の張力Ｔの付与方向と直交する方向における両端領域に、複数個の貫通孔１２５が張力Ｔの付与方向に対をなすようにして形成されている。貫通孔１２５の各対には、細条体を矩形枠状に折り曲げてなる制振子１４０が遊貫されている。
【００１０】
このようなマスクフレームは、張力Ｔの付与方向を上下方向としてカラー陰極線管内に収納される。
【００１１】
シャドウマスク１２０が振動すると、制振子１４０は、シャドウマスク１２０の貫通孔１２５に対して接触、摺動、離間をしながらシャドウマスク１２０とは別個に運動する。シャドウマスク１２０の振動エネルギーは、制振子１４０のシャドウマスク１２０の貫通孔１２５に対するこのような相対的な運動による摩擦によって消費される。このように、制振子１４０は、シャドウマスク１２０の振動を減衰させる振動減衰体として機能する。
【００１２】
【発明が解決しようとする課題】
しかしながら、上記の従来の振動減衰方法では、同じ振動（又は衝撃）をシャドウマスクに付与した場合に、振動減衰時間が安定せず、そのために平均減衰時間が長くなるという問題があった。
【００１３】
この原因を詳細に検討した結果、以下の現象が確認された。
【００１４】
図８（Ａ）は振動減衰体としての制振子１４０の取付部の拡大正面図であり、図８（Ｂ）は図８（Ａ）中の８Ｂ−８Ｂ線での矢視断面図である。図示したように、略矩形枠状に折り曲げられた制振子１４０は、シャドウマスク１２０の上下方向に離間して形成された一対の貫通孔１２５ａ，１２５ｂを遊貫している。制振子１４０の取付は、コ字状に折り曲げられた細条体の両端を一対の貫通孔１２５ａ，１２５ｂに挿入し、その後その両端を折り返すことによって行なわれる。このとき、制振子１４０の折り曲げ位置に誤差が生じる場合があり、例えば図８（Ａ）及び図８（Ｂ）に示すように、制振子１４０の荷重のほとんどが下側の貫通孔１２５ｂの周囲で支持された状態で取り付けられる場合がある。この場合、制振子１４０の上端は、図８（Ａ）に示すようにシャドウマスク１２０の面に対して平行な面内で矢印１４２方向のいずれか一方に傾くとともに、図８（Ｂ）に示すようにシャドウマスク１２０の面に対して垂直な面内で矢印１４３方向のいずれか一方に傾いた状態で安定する。この状態でシャドウマスク１２０が振動すると、制振子１４０は矢印１４２方向及び矢印１４３方向にも遊動するため、制振子１４０の上側折り曲げ部１４０ａは上側の貫通孔１２５ａの周囲に対して接触、摺動をしたり、しなかったりする。制振子１４０の上側折り曲げ部１４０ａが上側の貫通孔１２５ａの周囲と接触、摺動をするときはシャドウマスク１２０の振動減衰作用が増大し、そうでないときは減少する。この結果、振動減衰時間にばらつきが生じ、全体として平均減衰時間が長くなる。
【００１５】
上記とは異なり、図９（Ａ）及び図９（Ｂ）に示すように、制振子１４０が上側の貫通孔１２５ａにぶら下げられた状態で取り付けられる場合がある。この状態でシャドウマスク１２０が振動すると、図９（Ａ）に示すように制振子１４０の下端がシャドウマスク１２０の面に対して平行な面内で矢印１４４方向に遊動するとともに、図９（Ｂ）に示すように制振子１４０の下端がシャドウマスク１２０の面に対して垂直な面内で矢印１４５方向に遊動する。従って、この場合も、制振子１４０の下側折り曲げ部１４０ｂは下側の貫通孔１２５ｂの周囲に対して接触、摺動をしたり、しなかったりする。この結果、振動減衰時間にばらつきが生じ、全体として平均減衰時間が長くなる。
【００１６】
以上のように、制振子１４０を用いた従来の振動減衰方法では、制振子の折り曲げ位置（上側折り曲げ部１４０ａと下側折り曲げ部１４０ｂとの間隔）とこれを取り付ける一対の貫通孔の形成位置との相対的な寸法誤差により、所望する振動減衰効果を安定して得ることが困難であった。
【００１７】
本発明は、制振子を用いた振動減衰方法を採用しながら、上記の従来の問題を解決し、簡単な手法で振動減衰効果が安定し、振動減衰時間が短縮化されたカラー陰極線管を提供することを目的とする。
【００１８】
【課題を解決するための手段】
本発明は、上記の目的を達成するために以下の構成とする。
【００１９】
本発明のカラー陰極線管は、一方向に張力が付与された状態で架張保持されたシャドウマスクと、前記シャドウマスクに対して遊動可能に取り付けられた制振子とを備えたカラー陰極線管であって、前記制振子は、前記シャドウマスクに設けた一対の貫通孔に遊貫させることにより取り付けられており、前記一対の貫通孔の水平方向位置及び上下方向位置はいずれも相互に異なっていることを特徴とする。
【００２０】
制振子を取り付ける一対の貫通孔の位置が、上下方向のみならず水平方向にも相互に異なっているために、シャドウマスクの振動時に制振子は常に一対の貫通孔の両方に対して確実に接触、摺動、離間の各動作を行なうことができる。この結果、制振子による振動減衰作用が安定して発揮されるとともに、振動減衰時間の短縮化が可能になる。
【００２１】
上記において、前記貫通孔は、前記シャドウマスクに設けられた電子ビーム通過孔の形成領域よりも、水平方向における外側の領域に設けられていることが好ましい。これにより、制振子に電子ビームが衝突することによる画像乱れの発生を防止できる。
【００２２】
この場合において、前記一対の貫通孔のうち、上側の貫通孔は、下側の貫通孔よりも前記電子ビーム通過孔の形成領域から遠い位置に形成されていることが好ましい。
【００２３】
また、シャドウマスクが振動していない安定状態において、重力により前記制振子が前記電子ビーム通過孔の形成領域から遠い側に傾斜するように、前記一対の貫通孔の各水平方向位置が設定されていることが好ましい。
【００２４】
これらにより、制振子に電子ビームが衝突することによる画像乱れの発生の可能性を一層低減することができる。
【００２５】
【発明の実施の形態】
図１は、本発明のカラー陰極線管１０の管軸を通る上下方向の断面図である。以下の説明の便宜のために、図示したように、管軸に垂直な水平方向軸をＸ軸、管軸に垂直な上下方向軸をＹ軸、管軸をＺ軸とするＸＹＺ−３次元直交座標系を設定する。ここで、Ｘ軸とＹ軸とは管軸（Ｚ軸）上で交差する。
【００２６】
フェイスパネル１１とファンネル１２とが一体化されて外囲器１３を形成する。フェイスパネル１１の内面には略矩形状に蛍光体スクリーン１４が形成されている。蛍光体スクリーン１４から離間し、かつこれに対向して、色選別電極としてのシャドウマスク２０が略矩形枠状のフレーム３０に架張されて設置されている。フレーム３０のシャドウマスク２０とは反対側の面には、２対の略台形状の金属板材を略四角錐面の一部をなすように相互に対向させて接合した内部磁気シールド３６が一体化されている。シャドウマスク２０が架張され、内部磁気シールド３６が一体化されたフレーム３０は、その４隅に設置された板バネ状の弾性支持体３８を、フェイスパネル１１の内面に植設されたパネルピン３９に掛止することで、フェイスパネル１１に保持されている。ファンネル１２のネック部１２ａには電子銃１５が内蔵される。
【００２７】
このように構成されたカラー陰極線管１０のファンネル１２の外周面上には偏向ヨーク１８が設けられており、これによって電子銃１５からの電子ビーム１６は水平方向及び垂直方向に偏向されて、蛍光体スクリーン１４上を走査する。
【００２８】
図２は、シャドウマスク２０と、これを架張保持するフレーム３０とからなるマスク構体の概略構成を示した斜視図である。
【００２９】
図示したように、フレーム３０は、断面が略３角形状の一対の支持部材３１ａ，３１ｂと、これより短く、断面が略「コ」字状の一対の連結部材３２ａ，３２ｂとからなる。一対の支持部材３１ａ，３１ｂと一対の連結部材３２ａ，３２ｂとを、それぞれ平行に離間して配置し、各部材の端部同士を溶接することで略矩形枠状のフレーム３０が構成される。
【００３０】
シャドウマスク２０は、略矩形状の平板材からなり、電子ビーム通過用のスロット状の貫通孔（電子ビーム通過孔）２２がＸ軸方向及びＹ軸方向に多数規則正しく配列形成されている（図２では、一部の電子ビーム通過孔のみを図示している）。一点鎖線２１は電子ビーム通過孔の形成領域を示している。電子ビーム通過孔２２の形成は周知の方法、例えば、エッチングなどで行なうことができる。このようなシャドウマスク２０は、長辺をなす一対の支持部材３１ａ，３１ｂの端辺に、Ｙ軸方向（連結部材３２ａ，３２ｂの長手方向と平行な方向）の張力Ｔが付与された状態で架張されている。
【００３１】
シャドウマスク２０の電子ビーム通過孔形成領域２１よりもＸ軸方向において外側の領域に複数個の貫通孔２５が対をなすようにして形成されており、貫通孔２５の各対に、金属製細条体を矩形枠状に折り曲げて形成した振動減衰体としての制振子４０が取り付けられている。
【００３２】
制振子４０の取付部の詳細を図３（Ａ）〜図３（Ｃ）に示す。図３（Ａ）は制振子４０の取付部の拡大正面図、図３（Ｂ）は図３（Ａ）の一点鎖線３Ｂ−３Ｂに沿った断面を矢印方向から見た組み合わせ断面図、図３（Ｃ）は図３（Ａ）の矢印３Ｃの方向から制振子を見た上面図である。図３（Ａ）から明らかなように、本実施の形態において、制振子４０を取り付ける一対の貫通孔２５ａ，２５ｂのＸ軸方向（水平方向）位置は、図７に示した従来の取り付け用貫通孔１２５ａ，１２５ｂと異なり、互いに相違している。即ち、上側の貫通孔２５ａは、下側の貫通孔２５ｂよりも電子ビーム通過孔形成領域２１からＸ軸方向において遠い位置に配置されている。
【００３３】
制振子４０の構成は図７に示した従来の制振子１４０と同様である。
【００３４】
貫通孔２５ａ，２５ｂの開口径を制振子４０の素線径よりもやや大きくしているので、シャドウマスク２０と制振子４０とは固着することなく、制振子４０は、シャドウマスク２０に取り付けられた状態で、シャドウマスク２０とは別に独立して運動（遊動）することができる。
【００３５】
このような本発明の制振子４０の振動減衰作用を説明する。
【００３６】
上側の貫通孔２５ａを下側の貫通孔２５ｂの真上ではなく、斜め上の位置に（即ち、Ｘ軸方向（水平方向）の位置を異ならせて）形成したことにより、図３（Ａ）に示したように、貫通孔２５ａ，２５ｂに遊貫された制振子４０は、Ｙ軸方向（上下方向）に対して常に斜めに傾斜した状態で安定する。この状態のとき、制振子４０の上側折り曲げ部４０ａ及び下側折り曲げ部４０ｂはそれぞれ上側の貫通孔２５ａの周囲及び下側の貫通孔２５ｂの周囲と常に接触した状態を維持する。
【００３７】
この状態で、シャドウマスク２０が振動すると、制振子４０の上側折り曲げ部４０ａは上側の貫通孔２５ａの周囲と、また、制振子４０の下側折り曲げ部４０ｂは下側の貫通孔２５ｂの周囲と、それぞれ接触、摺動、離間を繰り返し、両部分での摩擦によりシャドウマスク２０の振動エネルギーが速やかに消費されて、シャドウマスク２０の振動は急速に減衰する。
【００３８】
以上のように、本発明は、振動減衰体として機能する制振子４０を取り付ける一対の貫通孔２５ａ，２５ｂの形成位置を上下方向に加えて水平方向にも互いに異ならせる。これにより、シャドウマスク２０の振動時に制振子４０が常に一対の貫通孔の両方に対して確実に接触、摺動、離間の各動作を行なうことができる。この結果、制振子４０による振動減衰作用が安定して発揮されるともに、振動減衰時間の短縮化が可能になる。また、一対の貫通孔２５ａ，２５の水平方向位置及び上下方向位置を相互に異ならせることにより、制振子４０の折り曲げ位置（上側折り曲げ部４０ａと下側折り曲げ部４０ｂとの間隔）とこれが遊貫する一対の貫通孔２５ａ，２５ｂの形成位置との相対的な寸法公差が緩和される。
【００３９】
また、一対の貫通孔２５ａ，２５ｂの水平方向（Ｘ軸方向）位置を互いに異ならせることにより、図３（Ａ）〜図３（Ｃ）に示すように、取り付けられた制振子４０の上下の折り曲げ部４０ａ，４０ｂは、安定状態において、シャドウマスク２０の面に対して直交せず、重力の作用によりいずれかの方向に傾斜（回転）する。図３（Ａ）〜図３（Ｃ）に示す制振子４０では、図３（Ａ）においてシャドウマスク２０の背後に隠れた部分は、シャドウマスク２０の手前の部分に比べて、不連続部分４０ｃが存在するため重量が軽い。従って、制振子４０の上下の折り曲げ部４０ａ，４０ｂと貫通孔２５ａ，２５ｂとの接点を支点としたとき、不連続部分４０ｃを有しない側の重力によるモーメントが大きくなるので、図示したように、不連続部分４０ｃを有しない、シャドウマスク２０の手前の部分が下方向になるように傾斜して安定化する。本発明では、制振子４０が重力により傾斜して安定化する場合、その傾斜方向が電子ビーム通過孔形成領域２１より離れる方向となるように、一対の貫通孔２５ａ，２５ｂの水平方向（Ｘ軸方向）位置を設定することが好ましい。これにより、制振子４０が電子ビーム通過孔形成領域２１内に入り込んで制振子４０に電子ビームが衝突して画像乱れを生じるのを防止することができる。従って、本実施の形態では、上側の貫通孔２５ａを、下側の貫通孔２５ｂよりも電子ビーム通過孔形成領域２１よりも遠い位置に配置している。また、図２に示すように、電子ビーム通過孔形成領域２１のＸ軸方向において両外側の貫通孔２５ａ，２５ｂをＹ軸に対して対称となるように配置している。
【００４０】
本発明を３４型カラー陰極線管用のマスク構体に適用した実施例を示す。
【００４１】
図２に示すように、厚さ０．１３ｍｍの金属板材からなるシャドウマスク２０を、Ｙ軸方向に総荷重１００Ｎの張力を付与して架張したマスク構体を製造した。このシャドウマスク２０の電子ビーム通過孔形成領域２１よりもＸ軸方向において外側の領域に、それぞれ２個の制振子４０を取り付けた。その詳細を図４に示す。図４において、制振子４０を取り付けるための貫通孔２５ａ，２５ｂ，２５ｃ，２５ｄは、内径１．４ｍｍの略円形状とした。対をなす貫通孔のうちＸ軸に近い方の貫通孔２５ｂ，２５ｃの各中心とＸ軸との距離Ｙ1はいずれも４０ｍｍ、貫通孔２５ｂと貫通孔２５ａとのＹ軸方向の中心間距離Ｙ2及び貫通孔２５ｃと貫通孔２５ｄとのＹ軸方向の中心間距離Ｙ2はいずれも１２０ｍｍ、貫通孔２５ｂと貫通孔２５ａとのＸ軸方向の中心間距離Ｘ1及び貫通孔２５ｃと貫通孔２５ｄとのＸ軸方向の中心間距離Ｘ1はいずれも２．１ｍｍとした。図４では、シャドウマスク２０の右側部分のみを図示しているが、左側端部にもＹ軸に対して対称になるように２対の貫通孔を形成し、各対に制振子４０を取り付けた。
【００４２】
制振子４０として、全長１４５ｍｍ、素線径０．９ｍｍ、質量０．７４ｇの金属線材を用い、これをコ字状に折り曲げた後、シャドウマスク２０の対をなす貫通孔に挿入し、その両端を図５のように折り返して、シャドウマスク２０に取り付けた。図５において、中央の直線状部分の長さＬ1を８０ｍｍ、その両端の折り曲げ部４０ａ，４０ｂの長さＬ2を２．０ｍｍとした。なお、図５において４０ｃは、折り返された線材の両端間の不連続部分を示す。
【００４３】
このようなマスク構体を図４の紙面上側を上にして保持し、シャドウマスク２０にインパルス状の衝撃を付与し、シャドウマスク２０の振動振幅が半減するまでに要する時間（減衰時間）を複数回測定した。
【００４４】
比較例として、図４において、Ｙ2＝１２０ｍｍ、Ｘ1＝０ｍｍとした以外は上記実施例と同様にして制振子４０を取り付けて、同様に減衰時間を測定した。
【００４５】
その結果を図６に示す。図６において、縦軸は減衰時間（秒）を示し、黒丸（「●」）は各減衰時間の度数を示す。
【００４６】
図６から明らかなように、減衰時間の平均値は、実施例では約３秒であったのに対して、比較例では約１０秒であり、本発明により平均減衰時間が短縮化できることが分かる。また、減衰時間のばらつき（最大値と最小値との差）は実施例では５秒であったのに対して、比較例では１５秒であり、実施例は比較例の約１／３であった。上述したように、本発明では、制振子がこれが遊貫している２つの貫通孔と接触、摺動、離間の各動作を安定して確実に行なうことができるので、制振子の振動減衰作用が常に確実に発揮されて、シャドウマスクの振動減衰時間が短くなり、またそのばらつきも小さくなる。
【００４７】
本発明は、上記の実施の形態及び実施例に限定されない。
【００４８】
例えば、制振子として細条体を矩形枠状に折り曲げた形状を示したが、シャドウマスク２０の振動と別個に自由に運動可能で、落下することなくシャドウマスク２０に保持することができる形状であれば上記の形状に限定されない。例えば、円形、楕円形、各種多角形などであっても良い。また、全体としてこれらの形状を有しながら、一部に不連続部分（例えば、図３、図５の不連続部分４０ｃ）を有していても良く、あるいは、シャドウマスクに取り付け後に該不連続部分を溶接などで連続させても良い。
【００４９】
また、制振子の大きさや重さは、上記の実施例に限定されず、シャドウマスクに付与する張力の大きさや板厚等によって適宜選定することができる。
【００５０】
また、制振子の個数は、上記の例のように４個に限るものではなく、カラー陰極線管の大きさ、シャドウマスクに付与する張力の大きさや板厚、制振子の重量等によって適宜決めることができる。
【００５１】
また、制振子は、上記のような線状のものに限らず、幅の狭い板状体等を用いて構成してもよい。
【００５２】
また、図３（Ａ）〜図３（Ｃ）では、制振子４０のシャドウマスク２０よりも蛍光体スクリーン側の部分が、重力によって発生するモーメントにより電子ビーム通過孔の形成領域２１から離れる方向に傾斜（回転）する例を示したが、本発明はこのような場合に限定されない。例えば、貫通孔２５ａ，２５ｂの周囲が制振子４０の上側折り曲げ部４０ａ及び下側折り曲げ部４０ｂに対して接触する位置によっては、制振子４０のシャドウマスク２０よりも電子銃側（不連続部分４０ｃを有する側）の方が重力によるモーメントが大きくなる場合がある。あるいは、制振子４０のシャドウマスク２０よりも電子銃側の部分の折り返しが十分でない場合（即ち、該折り返し部分が、上側折り曲げ部４０ａ及び／又は下側折り曲げ部４０ｂに対してなす角度が直角ではなく鈍角である場合）は、制振子４０のシャドウマスク２０よりも電子銃側（不連続部分４０ｃを有する側）の方が重力によるモーメントが大きくなる場合がある。これらの場合は、より大きなモーメントが発生する、シャドウマスク２０よりも電子銃側の部分が電子ビーム通過孔の形成領域２１から離れる方向に傾斜する。即ち、上記したように、電子ビーム通過孔の形成領域２１から上側の貫通孔２５ａまでの水平方向距離を、下側の貫通孔２５ｂまでの水平方向距離よりも大きくすることにより、シャドウマスク２０に対して制振子４０の蛍光体スクリーン側の部分及び電子銃側の部分のうち、重力によってより大きなモーメントが発生する方を、電子ビーム通過孔の形成領域２１から離れる方向に傾斜させることができる。この「より大きなモーメントが発生する方」は、一般にシャドウマスク２０の表面からより大きく突出している側であることが多い。従って、制振子４０のシャドウマスク２０の表裏面からより大きく突出した側の部分が電子ビーム通過孔形成領域２１から離れるように、制振子２０が傾斜（回転）するので、電子ビームが制振子４０に衝突して画像乱れを発生するのを防止できる。なお、このような効果は、制振子が、上記の実施の形態のような矩形枠状以外の形状を有している場合であっても同様に得ることができる。
【００５３】
また、制振子を取り付ける貫通孔の開口形状は、上記の実施の形態のように円形である必要はなく、楕円形、長孔形、各種多角形などであっても良い。特に、楕円形や長孔とし、その長軸方向を上下方向又は制振子を取り付ける一対の貫通孔の中心間を通る直線方向とすると、制振子と貫通孔との寸法許容誤差範囲が拡大する。その結果、より安定した制振効果が得られるとともに、低コスト化が可能になる。
【００５４】
また、図４の例では、Ｘ軸よりも上側及び下側の各制振子４０を取り付けるための対をなす貫通孔２５ａ，２５ｂ及び貫通孔２５ｃ，２５ｄにおいて、上側の貫通孔２５ａ，２５ｃを、下側の貫通孔２５ｂ，２５ｄよりも電子ビーム通過孔形成領域２１よりも遠い位置に形成している。しかしながら、本発明はこのような構成に限定されない。即ち、上側の貫通孔を、下側の貫通孔よりも電子ビーム通過孔形成領域２１よりも近い位置に形成することも可能であり、このような場合であっても、上記の実施例に示したのと同様の振動減衰効果が得られる。例えば、図４に示すように、シャドウマスク２０のＸ軸方向の幅がＹ軸方向の中央部で細くなるように、シャドウマスク２０のＸ軸方向の端辺が湾曲している場合には、Ｘ軸よりも下側の制振子４０を取り付けるための貫通孔２５ｃ，２５ｄに関しては、上側の貫通孔２５ｃを、下側の貫通孔２５ｄよりも電子ビーム通過孔形成領域２１よりも近い位置に形成することにより、制振子４０を取り付けるための領域（電子ビーム通過孔形成領域２１よりもＸ軸方向において外側の領域）のＸ軸方向の幅を縮小することができる。
【００５５】
また、上記の本実施の形態では、制振子をシャドウマスク２０の電子ビーム通過孔形成領域外に取り付けた例を示したが、電子ビーム通過孔形成領域内に制振子を取り付けることもできる。この場合、カラー陰極線管の表示画像に影響が生じないように、電子ビーム通過孔以外の部分に制振子を取り付ける必要がある。
【００５６】
【発明の効果】
以上のように、本発明のカラー陰極線管によれば、制振子を取り付ける一対の貫通孔の位置が、上下方向のみならず水平方向にも相互に異なっているために、シャドウマスクの振動時に制振子は常に一対の貫通孔の両方に対して確実に接触、摺動、離間の各動作を行なうことができる。この結果、制振子による振動減衰作用が安定して発揮されるとともに、振動減衰時間の短縮化が可能になる。
【図面の簡単な説明】
【図１】  本発明の一実施形態にかかるカラー陰極線管の管軸を通る上下方向の断面図である。
【図２】  本発明の一実施形態にかかるカラー陰極線管のシャドウマスクとこれを架張保持するフレームとからなるマスク構体の概略構成を示した斜視図である。
【図３】  図３（Ａ）は本発明の一実施形態にかかるカラー陰極線管において制振子の取付部を示した拡大正面図であり、図３（Ｂ）は図３（Ａ）における一点鎖線３Ｂ−３Ｂに沿った断面を矢印方向から見た組み合わせ断面図、図３（Ｃ）は図３（Ａ）の矢印３Ｃの方向から制振子を見た上面図である。
【図４】  本発明の実施例にかかるカラー陰極線管において、制振子の取付部の詳細を示した部分正面図である。
【図５】  本発明の実施例に用いた制振子の概略形状を示した正面図である。
【図６】  実施例及び比較例におけるシャドウマスクの振動減衰時間の実測値を示した図である。
【図７】  従来のカラー陰極線管のシャドウマスクとこれを架張保持するフレームとからなるマスク構体の概略構成を示した斜視図である。
【図８】  図８（Ａ）は従来のカラー陰極線管において制振子の取付部を示した拡大正面図であり、図８（Ｂ）は図８（Ａ）における８Ｂ−８Ｂ線での矢視断面図である。
【図９】  図９（Ａ）は従来のカラー陰極線管において制振子の別の取付部を示した拡大正面図であり、図９（Ｂ）は図９（Ａ）における９Ｂ−９Ｂ線での矢視断面図である。
【符号の説明】
１０  カラー陰極線管
１１  フェイスパネル
１２  ファンネル
１３  外囲器
１４  蛍光体スクリーン
１５  電子銃
１６  電子ビーム
１８  偏向ヨーク
２０  シャドウマスク
２２  電子ビーム通過孔
２１  電子ビーム通過孔の形成領域
２５，２５ａ，２５ｂ，２５ｃ，２５ｄ  貫通孔
３０  フレーム
３１ａ，３１ｂ  支持部材
３２ａ，３２ｂ  連結部材
３６  内部磁気シールド
３８  弾性支持体
３９  パネルピン
４０  制振子
４０ａ  上側折り曲げ部
４０ｂ  下側折り曲げ部
４０ｃ  不連続部分
【図１】
0003752175.tif 000002
【図２】
0003752175.tif 000003
【図３】
0003752175.tif 000004
【図４】
0003752175.tif 000005
【図５】
0003752175.tif 000006
【図６】
0003752175.tif 000007
【図７】
0003752175.tif 000008
【図８】
0003752175.tif 000009
【図９】
0003752175.tif 000010